(57)【特許請求の範囲】
【請求項１】
自動二輪車（Ｖ）のハンドルカバー（１）に支持したメータ（５）と、ハンドルカバー（１）の内部に配置した導電体（２２）とを電気的に接続する自動二輪車の配線構造において、
前記導電体を構成する金属板材あるいは金属棒材よりなるバスバー（２２）が、合成樹脂を射出成形してなるバスバー埋設基体（２１）に埋設され、
そのバスバー埋設基体（２１）は、これの射出成形後に成形されるハンドルカバー（１）に一体化され、
そのハンドルカバー（１）に形成したメータ支持孔（４３）の内部に設けられてバスバー（２２）に接続されたハンドルカバー側コネクタ（２５）が、バスバー埋設基体（２１）に一体に形成され、
メータ（５）をメータ支持孔（４３）に挿入することにより、該メータ（５）に設けたメータ側コネクタ（４４）を前記ハンドルカバー側コネクタ（２５）に結合することを特徴とする、自動二輪車の配線構造。
【請求項２】
メータ（５）およびハンドルカバー（１）の一方および他方に設けた係止爪（４１2 ，４１3 ）および被係止部（１8 ，１9 ）を相互に係合させることにより、ハンドルカバー（１）のメータ支持孔（４３）に対してメータ（５）を抜け止めすることを特徴とする、請求項１に記載の自動二輪車の配線構造。
【請求項３】
メータ側コネクタ（４４）をメータ（５）に対してフローティング支持するとともに、メータ側コネクタ（４４）およびハンドルカバー側コネクタ（２５）間に両者を調芯する調芯手段（４７，２５2 ）を設けたことを特徴とする、請求項１に記載の自動二輪車の配線構造。
【発明の詳細な説明】
【０００１】
【発明の属する技術分野】
本発明は、自動二輪車のハンドルカバーに支持したメータと、ハンドルカバーの内部に配置した導電体とを電気的に接続する自動二輪車の配線構造に関する。
【０００２】
【従来の技術】
従来、自動二輪車のバーハンドルを覆うハンドルカバーに設けられたメータやスイッチ等の電気部品に対する配線はワイヤーハーネスを介して行われていた（例えば、特開昭６０−２４４６８０号公報参照）。
【０００３】
【発明が解決しようとする課題】
ところで上記従来のものは、ハンドルカバーにメータやスイッチを取り付けた後に、ワイヤーハーネスの端部に設けたコネクタをハンドルカバーの内面側で電気部品に結合する必要があるため、コネクタの着脱作業が面倒で作業工数が増加するだけでなく、配線作業が完了するまで前後のハンドルカバーを結合することができないために作業性が低下する問題があった。
【０００４】
本発明は前述の事情に鑑みてなされたもので、ハンドルカバーに支持したメータに対する配線作業を容易かつ確実に行えるようにすることを目的とする。
【０００５】
【課題を解決するための手段】
上記目的を達成するために、請求項１に記載された発明は、自動二輪車のハンドルカバーに支持したメータと、ハンドルカバーの内部に配置した導電体とを電気的に接続する自動二輪車の配線構造において、前記導電体を構成する金属板材あるいは金属棒材よりなるバスバーが、合成樹脂を射出成形してなるバスバー埋設基体に埋設され、そのバスバー埋設基体は、これの射出成形後に成形されるハンドルカバーに一体化され、そのハンドルカバーに形成したメータ支持孔の内部に設けられてバスバーに接続されたハンドルカバー側コネクタが、バスバー埋設基体に一体に形成され、メータをメータ支持孔に挿入することにより、該メータに設けたメータ側コネクタを前記ハンドルカバー側コネクタに結合することを特徴とする。
【０００６】
上記構成によれば、ハンドルカバーに形成したメータ支持孔にメータを挿入するだけで、メータに設けたメータ側コネクタとメータ支持孔の内部に設けたハンドルカバー側コネクタとが結合されるので、ハンドルカバーの内部に配置した導電体およびメータ間の配線作業を簡単かつ確実に完了させることができる。またメータに接続される導電体を合成樹脂の内部に埋設された金属板材あるいは金属棒材よりなるバスバーから構成したので、ワイヤーハーネスを使用する場合に比べて配線に要する部品点数および工数を削減することができるだけでなく、短絡、断線、誤組等が発生する可能性を減少させることができ、しかもワイヤーハーネスに比べて長期の使用に対する耐久性を高めることができる。その上、上記バスバーが、合成樹脂を射出成形してなるバスバー埋設基体に埋設され、そのバスバー埋設基体は、これの射出成形後に成形されるハンドルカバーに一体化され、ハンドルカバー側コネクタがバスバー埋設基体に一体に形成されるので、構造が比較的に複雑になるバスバー埋設基体をリヤハンドルカバーと別個に成形することにより、バスバー埋設基体の金型およびリヤハンドルカバーの金型の構造を簡略化することができ、しかもバスバー埋設基体をリヤハンドルカバーと一体化するので、バスバー埋設基体およびリヤハンドルカバーが相互に補強しあって全体的な剛性が増加する。
【０００７】
また請求項２に記載された発明は、請求項１の構成に加えて、メータおよびハンドルカバーの一方および他方に設けた係止爪および被係止部を相互に係合させることにより、ハンドルカバーのメータ支持孔に対してメータを抜け止めすることを特徴とする。
【０００８】
上記構成によれば、ハンドルカバーのメータ支持孔にメータを挿入するだけで該メータを抜け止めすることがきるので、ボルト等の手段でメータを固定する場合に比べて作業性が大幅に向上する。
【０００９】
また請求項３に記載された発明は、請求項１の構成に加えて、メータ側コネクタをメータに対してフローティング支持するとともに、メータ側コネクタおよびハンドルカバー側コネクタ間に両者を調芯する調芯手段を設けたことを特徴とする。
【００１０】
上記構成によれば、ハンドルカバーのメータ支持孔にメータを挿入したときにメータ側コネクタおよびハンドルカバー側コネクタが相互に位置ずれしていても、調芯手段で両者を自動的に調芯して確実に結合することができる。
【００１１】
【発明の実施の形態】
以下、本発明の実施の形態を、添付図面に示した本発明の実施例に基づいて説明する。
図１〜図１３は本発明の一実施例を示すもので、図１は自動二輪車の後面図、図２は図１の要部拡大図であってリヤハンドルカバーの表面側を示す図、図３はリヤハンドルカバーの裏面側を示す図、図４は図３の４−４線断面図、図５は図３の５−５線断面図、図６は図５の要部拡大図、図７はバスバー埋設基体の単体図、図８は図７の８部拡大図、図９はメータ側の雌コネクタの斜視図、図１０は図２の１０−１０線拡大断面図、図１１はスイッチのコネクタの雄端子および雌端子の斜視図、図１２はスタータスイッチの斜視図、図１３はバスバーによる配線状態の説明図である。
【００１２】
図１はスクータ型の自動二輪車Ｖの後面図であって、バーハンドルの後部が合成樹脂製のリヤハンドルカバー１で覆われており、その左右両端から左グリップ２および右グリップ３が突出する。
【００１３】
図２はリヤハンドルカバー１の外面側（ライダーから見える側）拡大図であって、その中央部に透明なメータカバー４で覆われたメータユニット５が設けられる。メータユニット５には、スピードメータ６、フュエルメータ７、オドメータ８、スピードワーニングランプ９、ターンパイロットランプ１０およびオイルワーニングランプ１１が設けられる。リヤハンドルカバー１の右端にはスタータスイッチＳｓが装着され、またリヤハンドルカバー１の左端にはディマースイッチＳｄ、ウインカースイッチＳｗおよびホーンスイッチＳｈが装着される。
【００１４】
図３は、図２に示すリヤハンドルカバー１を紙面の裏側から見た状態を示すものであり、このリヤハンドルカバー１の内面側は、通常は図示せぬフロントカバーに覆われて外部から目視することはできない。リヤハンドルカバー１の内面には、従来のワイヤーハーネスに代わるバスバー埋設基体２１が左右方向に配置されており、このバスバー埋設基体２１内に埋設したバスバー２２…を介して前記メータユニット５、スタータスイッチＳｓ、ディマースイッチＳｄ、ウインカースイッチＳｗおよびホーンスイッチＳｈが自動二輪車Ｖの車体側に設けたバッテリや電装品に接続される。
【００１５】
図７はバスバー埋設基体２１を単体で示すものである。バスバー埋設基体２１は合成樹脂を射出成形したものであり、その内部に金属板を打ち抜いてなる導電体としての多数のバスバー２２…が埋設される。バスバー埋設基体２１には１０個の開口２１1 〜２１10が形成されており、これら開口２１1 〜２１10から前記バスバー２２…の一部が露出する。それぞれのバスバー２２…は細くて薄い金属板から構成されているため、バスバー埋設基体２１の射出成形時に、その内部に多数のバスバー２２…を整然と位置決めして埋設することは困難である。そこで、バスバー埋設基体２１の開口２１1 ，２１2 に臨む部分において、複数のバスバー２２…が接続部２３…で一体に接続される（図８（Ａ）の斜線部参照）。
【００１６】
このように複数のバスバー２２…を接続部２３…で一体化することにより、それらバスバー２２…の集合体がバラバラになるのを防止して製造や取り扱いを容易にすることができるだけでなく、バスバー埋設基体２１を射出成形する金型内にバスバー２２…の集合体をセットする際に、前記接続部２３…で一体化された部分をバスバー埋設基体２１の開口２１1 ，２１2 に臨ませて保持することにより、その位置決めを容易かつ確実に行うことができる。
【００１７】
かかるバスバー埋設基体２１を射出成形した後に、その開口２１1 ，２１2 に臨むバスバー２２…の接続部２３…を切断して除去することにより、各々のバスバー２２…を電気的に導通しないように相互に切り離し、図８（Ｂ）に示す状態にする。このように前記開口２１1 ，２１2 を利用してバスバー２２…の接続部２３…を切断除去することができるので、特別の開口を形成する必要がない。以上、バスバー埋設基体２１の１０個の開口２１1 〜２１10のうち、２個の開口２１1 〜２１2 を例に取って説明したが、残りの８個の開口２１3 〜２１10についても同様である。
【００１８】
図７から明らかなように、バスバー埋設基体２１の中央部には、自動二輪車Ｖの車体側に設けたバッテリや電装品に接続される雄コネクタ２４と、前記メータユニット５に接続される雄コネクタ２５とが一体に形成される。またバスバー埋設基体２１の一端部には前記スタータスイッチＳｓが装着される開口部２６が形成されるとともに、他端部には前記ディマースイッチＳｄ、ウインカースイッチＳｗおよびホーンスイッチＳｈが装着される３個の開口部２７，２８，２９が形成され、それら開口部２６〜２９にそれぞれ雄コネクタ３０〜３３が一体に設けられる。バスバー埋設基体２１に形成された前記開口部２６〜２９に対応して、リヤハンドルカバー１にも４個の開口部３４〜３７が形成される（図２参照）。
【００１９】
而して、図１３に示すように、バッテリや電装品に接続される雄コネクタ２４と、メータユニット５に接続される雄コネクタ２５と、４個のスイッチＳｓ，Ｓｄ，Ｓｗ，Ｓｈに接続される雄コネクタ３０〜３３とが、複数のバスバー２２…によって相互に接続される。
【００２０】
上記構造のバスバー埋設基体２１は、リヤハンドルカバー１を合成樹脂で射出成形する際に、その金型内にセットされて該リヤハンドルカバー１と一体化される。即ち、バスバー埋設基体２１の外周部に突設した鍔部２１11（図７参照）をリヤハンドルカバー１のラップ部１10に埋め込むことにより、リヤハンドルカバー１にバスバー埋設基体２１が支持される（図５参照）。図３にはリヤハンドルカバー１と一体化されたバスバー埋設基体２１が示されている。同図に示されるように、バスバー埋設基体２１はリヤハンドルカバー１の一部である７個のブリッジ部１1 〜１7 によって該リヤハンドルカバー１に支持される。図３および図７を併せて参照すると明らかなように、ブリッジ部１1 はバスバー埋設基体２１の２個の開口２１1 ，２１2 を覆うように形成され、ブリッジ部１2 は開口２１3 を覆うように形成され、ブリッジ部１3 は開口２１4 を覆うように形成され、ブリッジ部１4 は２個の開口２１5 ，２１6 を覆うように形成され、ブリッジ部１5 は２個の開口２１7 ，２１8 を覆うように形成され、ブリッジ部１6 は開口２１9 を覆うように形成され、ブリッジ部１7 は開口２１10を覆うように形成される。
【００２１】
図４には、前記７個のブリッジ部１1 〜１7 の一つであるブリッジ部１4 が断面として示されている。ブリッジ部１4 の内部にはバスバー埋設基体２１の開口２１5 が位置しており、その開口２１5 はリヤハンドルカバー１を構成する合成樹脂により埋められている。従って、前記開口２１5 に露出していた８本のバスバー２２…は、合成樹脂により完全に覆われて相互に導通しないように絶縁される。
【００２２】
このように複数本のバスバー２２…を埋設したバスバー埋設基体２１を合成樹脂で成形し、リヤハンドルカバー１を成形する際に前記バスバー埋設基体２１を７個のブリッジ部１1 〜１7 により該リヤハンドルカバー１と一体化するので、以下のようなメリットがある。
【００２３】
第１に、内部にバスバー２２…を埋設したために構造が比較的に複雑になるバスバー埋設基体２１をリヤハンドルカバー１と別個に成形することにより、バスバー埋設基体２１の金型およびリヤハンドルカバー１の金型の構造を簡略化することができる。
【００２４】
第２に、バスバー埋設基体２１をリヤハンドルカバー１と別個に成形するので、バスバー埋設基体２１の肉厚に影響されずにリヤハンドルカバー１の肉厚を均一化することができ、これにより成形時におけるヒケの発生を防止してリヤハンドルカバー１の外観を高めることができる。
【００２５】
第３に、複数のブリッジ部１1 〜１7 にバスバー埋設基体２１を埋め込むことにより該バスバー埋設基体２１をリヤハンドルカバー１と一体化するので、バスバー埋設基体２１およびリヤハンドルカバー１が相互に補強しあって全体的な剛性が増加する。
【００２６】
第４に、バスバー埋設基体２１をブリッジ部１1 〜１7 に埋め込む際に、該バスバー埋設基体２１の開口２１1 〜２１10に合成樹脂が自動的に充填されるので、特別の充填工程が不要になって工数が削減される。
【００２７】
次に、リヤハンドルカバー１に対するメータユニット５の装着を、図３〜図５に基づいて説明する。
【００２８】
メータユニット５は、前記スピードメータ６、フュエルメータ７、オドメータ８、スピードワーニングランプ９、ターンパイロットランプ１０およびオイルワーニングランプ１１を支持する容器状のハウジング４１を備えており、このハウジング４１の開口部と前記メータカバー４との間にメータパネル４２が挟持される。ハウジング４１の外周に複数の係止爪４１1 …が形成されており、この係止爪４１1 …をメータカバー４に形成した被係止部４1 …に係合させることにより、ハウジング４１とメータカバー４とが一体に結合される（図４参照）。
【００２９】
メータユニット５は、リヤハンドルカバー１の中央部に凹設されたメータユニット支持孔４３に上方から挿入される。その際に、図４に示すように、ハウジング４１の後面（ライダー側）に形成した係止爪４１2 がメータユニット支持孔４３に臨むように形成された被係止部１8 に係合するとともに、図３および図５に示すように、ハウジング４１の前面に形成した左右２個の係止爪４１3 ，４１3 がリヤハンドルカバー１の内面に形成された２個の被係止部１9 ，１9 に係合することにより、メータユニット５がリヤハンドルカバー１に固定される。
【００３０】
図３および図５に示すように、メータユニット５をリヤハンドルカバー１のメータユニット支持孔４３に挿入したとき、メータユニット５に設けた雌コネクタ４４が、バスバー埋設基体２１に一体に形成した前記雄コネクタ２５に自動的に結合される。バスバー埋設基体２１側の雄コネクタ２５は、上向きに開口する溝状の凹部２５1 と、前記バスバー２２…から一体に延びて前記凹部２５1 内に突出する複数本の雄端子２０…とを備える。雄コネクタ２５は本発明のハンドルカバー側コネクタを構成し、雌コネクタ４４は本発明のメータユニット側コネクタを構成する。
【００３１】
図９はメータユニット５側の雌コネクタ４４を示すもので、その板状の本体部４５の上端から左右に突出する一対のガイド部４６，４６に円形のガイド孔４６1 ，４６1 が形成される。また本体部４５の下端には下向きにテーパーする半割円錐状のガイド突起４７，４７が２個形成されており、このガイド突起４７，４７は前記凹部２５1 の入口に形成された外向きに拡開するガイド面２５2 （図６参照）に当接可能である。これらガイド突起４７，４７およびガイド面２５2 は本発明の調芯手段を構成する。
【００３２】
図５、図６および図９を併せて参照すると明らかなように、ハウジング４１の底壁から上向きに突出する一対のボス４１4 ，４１4 の上面に、保持板４８が支持されてボルト４９，４９で固定される。雌コネクタ４４は、そのガイド孔４６1 ，４６1 をボス４１4 ，４１4 の外周に緩く嵌合させた状態で、ハウジング４１の底壁および保持板４８により上下から挟まれて抜け止めされる。ガイド孔４６1 ，４６1 の直径はボス４１4 ，４１4 の直径よりも僅かに大きく設定されており、その直径差に相当する距離だけ雌コネクタ４４はハウジング４１に対して相対移動することができる。また雌コネクタ４４の本体部４５はハウジング４１の底壁に形成した開口４１5 に緩く嵌合しており、雌コネクタ４４のハウジング４１に対する相対移動が許容される。
【００３３】
而して、メータユニット５をリヤハンドルカバー１のメータユニット支持孔４３に上方から挿入するとき、メータユニット５側の雌コネクタ４４の本体部４５が、バスバー埋設基体２１側の雄コネクタ２５の凹部２５1 に対して位置ずれしていても（図６の鎖線参照）、雌コネクタ４４のテーパーしたガイド突起４７，４７が雄コネクタ２５のガイド面２５2 に案内されるため、フローティング支持された雌コネクタ４４は自動的に調芯されて雄コネクタ２５に結合され、雄コネクタ２５の雄端子２０…が雌コネクタ４４の雌端子５０…に結合される。
【００３４】
次に、図１０〜図１２に基づいてスタータスイッチＳｓの取付構造を説明する。尚、ディマースイッチＳｄ、ウインカースイッチＳｗおよびホーンスイッチＳｈの取付構造も、スタータスイッチＳｓの取付構造と実質的に同じである。
【００３５】
スタータスイッチＳｓは、合成樹脂製のハウジング５１と、ハウジング５１の前面に支点ピン５２を介して揺動自在に枢支された操作ノブ５３と、ハウジング５１の上下面にそれぞれ形成された係止爪５１1 ，５１1 と、ハウジング５１の内部に埋め込まれた雌コネクタ５４とを備える。雌コネクタ５４はハウジング５１を射出成形する際に該ハウジング５１の内部に一体に埋設されるもので、その内部空間に雌端子５５…が収納される。
【００３６】
リヤハンドルカバー１の内部に一体に埋設されたバスバー埋設基体２１にはスタータスイッチＳｓが嵌合する開口部２６が形成されており、この開口部２６の外側にリヤハンドルカバー１の開口部３４が重なっている。バスバー埋設基体２１の開口部２６には、バスバー２２…と一体に形成されてバスバー埋設基体２１の外部に突出する複数の雄端子５６…よりなる雄コネクタ３０が設けられる。このように、バスバー２２…の一部を雄コネクタ３０の雄端子５６…として利用することにより、該雄コネクタ３０の部品点数を減少させて構造を簡略化するとともに、断線や接触不良の発生を最小限に抑えることができる。
【００３７】
而して、スタータスイッチＳｓをリヤハンドルカバー１の開口部３４を通してバスバー埋設基体２１の開口部２６に挿入すると、そのスタータスイッチＳｓのハウジング５１に埋設した雌コネクタ５４の雌端子５５…に、バスバー埋設基体２１の開口部２６内に設けた雄コネクタ３０の雄端子５６…が自動的に嵌合し、スタータスイッチＳｓとバスバー埋設基体２１内のバスバー２２…との電気的接続が簡単に完了する。そしてスタータスイッチＳｓをバスバー埋設基体２１の開口部２６内に完全に挿入すると、そのハウジング５１に設けた係止爪５１1 ，５１1 がバスバー埋設基体２１の開口部２６に設けた被係止部２６1 ，２６1 に係合し、スタータスイッチＳｓの抜けを防止する。そしてスタータスイッチＳｓのハウジング５１に設けたフランジ５１2 がリヤハンドルカバー１の開口部３４に嵌合し、バスバー埋設基体２１の開口部２６を隠蔽する。
【００３８】
以上のように、自動二輪車Ｖのリヤハンドルカバー１に装着されるメータユニット５、スタータスイッチＳｓ、ディマースイッチＳｄ、ウインカースイッチＳｗおよびホーンスイッチＳｈに対する配線を、リヤハンドルカバー１に設けたバスバー埋設基体２１内に埋設したバスバー２２…により行うので、従来のワイヤーハーネスを使用する場合に比べて配線に要する部品点数および工数を大幅に削減することが可能となるばかりか、短絡、断線、誤組等が発生する可能性を減少させることができ、更にワイヤーハーネスを使用する場合に比べて耐久性も向上する。しかもメータユニット５をリヤハンドルカバー１のメータユニット支持孔４３に挿入するだけでメータユニット５とバスバー２２…との電気的接続が完了し、またスタータスイッチＳｓ、ディマースイッチＳｄ、ウインカースイッチＳｗおよびホーンスイッチＳｈをバスバー埋設基体２１の開口部２６〜２９に挿入するだげで該スイッチＳｓ，Ｓｄ，Ｓｗ，Ｓｈとバスバー２２…との電気的接続が完了するので、組立に要する工数を大幅に削減することができる。しかもメータユニット５をリヤハンドルカバー１の外側から挿入するので、ハンドルカバーを予め組み立てることが可能となって作業性が向上する。
【００３９】
次に、図１４および図１５に基づいて本発明の第２実施例を説明する。尚、第２実施例において、第１実施例の構成要素に対応する構成要素には、第１実施例と同じ符号が付してある。
【００４０】
前述した第１実施例では、メータユニット５をリヤハンドルカバー１の外側から下向きに挿入して組み付けているが、第２実施例ではメータユニット５をリヤハンドルカバー１の内側から後ろ向きに挿入して組み付けている。
【００４１】
即ち、リヤハンドルカバー１の中央部にはメータユニット支持孔４３が前後方向に形成されており、メータユニット５はリヤハンドルカバー１の内側から外側に、つまり車体前側から車体後側に向けて挿入される。その際に、ハウジング４１の左右両側面に形成した係止爪４１2 ，４１2 がメータユニット支持孔４３に臨むように形成された被係止部１8 ，１8 に係合してメータユニット５が固定される。メータユニット５が車体前後方向に挿入されるため、バスバー埋設基体２１側に設けた雄コネクタ２５の雄端子２０…と、メータユニット５側に設けた雌コネクタ４４の雌端子５０…とは車体前後方向に配置される。
【００４２】
このようにメータユニット５をリヤハンドルカバー１の内側から外側に挿入することによりメータユニット５の設計自由度が拡大する。例えば、構成部品の追加によってメータユニット５が大型化しても、リヤハンドルカバー１の外側（ライダー側）からメータユニット５の表示部が見える程度の窓を形成すれ                                        ば良いので外観が向上する。
【００４３】
以上、本発明の実施例を詳述したが、本発明はその要旨を逸脱しない範囲で種々の設計変更を行うことが可能である。
【００４４】
例えば、実施例ではバスバー２２…を帯状の金属板材から構成したが、その断面形状は任意であり、円形断面や角断面の金属棒材から構成することも可能である。また請求項４に記載された発明の調芯手段の構造は任意であり、例えばガイド突起４７とガイド面２５2 との位置関係を入れ換えることができる。また実施例ではメータ側コネクタが雌コネクタ４４でありハンドルカバー側コネクタが雄コネクタ２５であるが、それらの雌雄関係を入れ換えることができる。
【００４５】
【発明の効果】
以上のように、請求項１の発明によれば、ハンドルカバーに形成したメータ支持孔にメータを挿入するだけで、メータに設けたメータ側コネクタとメータ支持孔の内部に設けたハンドルカバー側コネクタとが結合されるので、ハンドルカバーの内部に配置した導電体およびメータ間の配線作業を簡単かつ確実に完了させることができる。またメータに接続される導電体を合成樹脂の内部に埋設された金属板材あるいは金属棒材よりなるバスバーから構成したので、ワイヤーハーネスを使用する場合に比べて配線に要する部品点数および工数を削減することができるだけでなく、短絡、断線、誤組等が発生する可能性を減少させることができ、しかもワイヤーハーネスに比べて長期の使用に対する耐久性を高めることができる。また特に上記バスバーが、合成樹脂を射出成形してなるバスバー埋設基体に埋設され、そのバスバー埋設基体は、これの射出成形後に成形されるハンドルカバーに一体化され、ハンドルカバー側コネクタがバスバー埋設基体に一体に形成されるので、構造が比較的に複雑になるバスバー埋設基体をリヤハンドルカバーと別個に成形することにより、バスバー埋設基体の金型およびリヤハンドルカバーの金型の構造を簡略化することができ、しかもバスバー埋設基体をリヤハンドルカバーと一体化するので、バスバー埋設基体およびリヤハンドルカバーが相互に補強しあって全体的な剛性が増加する。
【００４６】
また請求項２の発明によれば、ハンドルカバーのメータ支持孔にメータを挿入するだけで該メータを抜け止めすることがきるので、ボルト等の手段でメータを固定する場合に比べて作業性が大幅に向上する。
【００４７】
また請求項３の発明によれば、ハンドルカバーのメータ支持孔にメータを挿入したときにメータ側コネクタおよびハンドルカバー側コネクタが相互に位置ずれしていても、調芯手段で両者を自動的に調芯して確実に結合することができる。
【図面の簡単な説明】
【図１】自動二輪車の後面図
【図２】図１の要部拡大図であってリヤハンドルカバーの表面側を示す図
【図３】リヤハンドルカバーの裏面側を示す図
【図４】図３の４−４線断面図
【図５】図３の５−５線断面図
【図６】図５の要部拡大図
【図７】バスバー埋設基体の単体図
【図８】図７の８部拡大図
【図９】メータ側の雌コネクタの斜視図
【図１０】図２の１０−１０線拡大断面図
【図１１】スイッチのコネクタの雄端子および雌端子の斜視図
【図１２】スタータスイッチの斜視図
【図１３】バスバーによる配線状態の説明図
【図１４】本発明の第２実施例に係る、前記図５に対応する図
【図１５】図１４の１５−１５線断面図
【符号の説明】
Ｖ          自動二輪車
１          リヤハンドルカバー（ハンドルカバー）
１8         被係止部
１9         被係止部
５          メータユニット（メータ）
２１ バスバー埋設基体
２２        バスバー（導電体）
２５        雄コネクタ（ハンドルカバー側コネクタ）
２５2       ガイド面（調芯手段）
４１2       係止爪
４１3       係止爪
４３        メータユニット支持孔（メータ支持孔）
４４        雌コネクタ（メータ側コネクタ）
４７        ガイド突起（調芯手段）
【図１】
0003585713.tif 000002
【図２】
0003585713.tif 000003
【図３】
0003585713.tif 000004
【図４】
0003585713.tif 000005
【図５】
0003585713.tif 000006
【図６】
0003585713.tif 000007
【図７】
0003585713.tif 000008
【図８】
0003585713.tif 000009
【図９】
0003585713.tif 000010
【図１０】
0003585713.tif 000011
【図１１】
0003585713.tif 000012
【図１２】
0003585713.tif 000013
【図１３】
0003585713.tif 000014
【図１４】
0003585713.tif 000015
【図１５】
0003585713.tif 000016